(57)【要約】      （修正有）【課題】内容物の詰め替え作業を確実且つスムーズに行なうことができるようにする。【解決手段】頂部外周に雄ねじ２を形成した筒状本体３を詰め替え用容器Ｐの抽出口Ｐ′に取着する。所要の長さを有するフレキシブルガイドホース８を筒状本体３内に引き出し自在に収納する。フレキシブルガイドホース８は、その基部開口を筒状本体３の内面に接続する一方、先端開口には円筒体６を取着すると共に該円筒体６の外周に雄ねじ７を形成する。筒状本体３に被せるキャップ体９は、外側垂直壁９ａ内面に前記筒状本体３の頂部外周の雄ねじ２と螺合する雌ねじ１０を形成すると共に、下面中心部に一体的に円筒体１１を垂設し、円筒体１１の内面に、フレキシブルガイドホース８の先端開口に取着した円筒体６の外周の雄ねじ７と螺合する雌ねじ１２を形成する。【選択図】図２
0003130236.tif 000002
【実用新案登録請求の範囲】
【請求項１】
詰め替え用容器の抽出口に取着する、頂部外周に雄ねじを形成した筒状本体と、前記筒状本体の内面に基部開口を接続する一方、先端開口に円筒体を取着すると共に該円筒体の外周に雄ねじを形成し、前記筒状本体内に引き出し自在に収納する、所要の長さを有するフレキシブルガイドホースと、外側垂直壁内面に前記筒状本体の頂部外周の雄ねじと螺合する雌ねじを形成すると共に、下面中心部に一体的に円筒体を垂設し、該円筒体の内面に、前記フレキシブルガイドホースの先端開口に取着した円筒体の外周の雄ねじと螺合する雌ねじを形成したキャップ体とからなる詰め替え用容器の抽出アダプタ。
【請求項２】
筒状本体内を一時的に閉塞する適宜の手段を備えてなる請求項１記載の詰め替え用容器の抽出アダプタ。
【請求項３】
筒状本体内を一時的に閉塞する手段が、筒状本体の内面における前記フレキシブルガイドホースより下側の位置に、中心部に通孔を有する板を設けると共に、該板の上面に接着剤を塗布し、フレキシブルガイドホースの一部が前記板の通孔を遮断するようにして該フレキシブルガイドホースを前記板に剥離可能に接着するようになしたことをもって構成する手段である請求項２記載の詰め替え用容器の抽出アダプタ。
【請求項４】
筒状本体内を一時的に閉塞する手段が、キャップ状をなし、外側垂直壁の内面に雌ねじを形成すると共に、上面に突出部を設けて、該突出部の外周に雄ねじを形成した栓体と、詰め替え用容器の抽出口に取着する、頂部外周に前記栓体の外側垂直壁内面の雌ねじと螺合する雄ねじを形成した筒状体とを用い、筒状本体の下部開口の内面に前記栓体の突出部外周の雄ねじ又は前記筒状体の頂部外周の雄ねじと螺合する雌ネジを形成して、該筒状本体を前記栓体を介在させて詰め替え用容器の抽出口に取着する筒状体に接続するようになしたことをもって構成する手段である請求項２記載の詰め替え用容器の抽出アダプタ。
【考案の詳細な説明】
【技術分野】
【０００１】  本考案は、商品の本体容器に容入された内容物と同一物を容入し、本体容器内の内容物がなくなったときに補充するために用いられる詰め替え容器の抽出アダプタに関するものである。
【背景技術】
【０００２】  例えば洗剤や化粧品等の液状やゲル状、粉状或いは粒状の商品は、樹脂による射出成形容器や瓶等の容器に容入されて販売されている。しかし、近時の石油の値上がりによる原料の高騰等の事情によって容器の製造コストが高くなり、これが販売価格に反映されることによって消費者にも影響が及んでいる。また、容器そのものが大きく且つ変形不可能であることから嵩張り、ゴミとして出すとき或いは処理するときに始末が大変である。【０００３】  そこで、これらのことから、商品の販売者は、商品を容入した本体容器とは別に、詰め替え用容器に該本体容器内の内容物と同一物を容入したものを商品として提供し、購入者は本体容器内の内容物がなくなったときに、該詰め替え容器内の内容物を本体容器内に詰め替えて補充することも盛んに行なわれるようになってきている。【０００４】  そしてまた、斯かる詰め替え用容器として、樹脂シート等の柔軟性シートをもって自立袋としてなるパウチ容器等のフレキシブルパッケージが一般的になってきている。斯かるフレキシブルパッケージは、容器自体の製造コストが安く且つまた使い終わって捨てるときには、折り畳んで小さくした状態で捨てることができるという利点がある。しかし、またその反面において、詰め替え作業がスムーズに行なえなかったり、商品がこぼれて無駄になるといった問題点がある。【０００５】  例えば、シャンプー用のフレキシブルパッケージは、その上端の角部を斜めに切除して抽出口を形成し、この抽出口から本体容器内にシャンプーを注ぎ入れるようにするものであるが、洗髪の途中で詰め替える必要が生じたときには、シャンプーで滑るために角部をなかなか切り取ることができない。また、鋏を用いて行なうとしても、滑って手や指を傷つける虞があり、危険である。そして、フレキシブルパッケージを逆さにして注ぎ入れるときには、フレキシブルパッケージの抽出口が容器本体の開口からずれやすく、一致させながら注ぎ込むために大変な手間がかかる。そして注意深く注いでもこぼれて大量に無駄になることが多い。また、一度切除して形成した抽出口は、これを封止することが難しく、そのままにしておくと内部に埃が入ったり、品質が劣化する等の問題が生ずる。
【考案の開示】
【考案が解決しようとする課題】
【０００６】  本考案は上記の点に鑑みなされたものであって、フレキシブルパッケージ等の詰め替え用容器の抽出口に取着することによって、上記従来の詰め替え用容器の詰め替え作業時の問題点を悉く解消することができるようになした詰め替え用容器の抽出アダプタを提供せんとするものである。
【課題を解決するための手段】
【０００７】  而して、本考案の要旨とするところは、詰め替え用容器の抽出口に取着する、頂部外周に雄ねじを形成した筒状本体と、前記筒状本体の内面に基部開口を接続する一方、先端開口に円筒体を取着すると共に該円筒体の外周に雄ねじを形成し、前記筒状本体内に引き出し自在に収納する、所要の長さを有するフレキシブルガイドホースと、外側垂直壁内面に前記筒状本体の頂部外周の雄ねじと螺合する雌ねじを形成すると共に、下面中心部に一体的に円筒体を垂設し、該円筒体の内面に、前記フレキシブルガイドホースの先端開口に取着した円筒体の外周の雄ねじと螺合する雌ねじを形成したキャップ体とからなる詰め替え用容器の抽出アダプタにある。【０００８】  また、上記構成において、筒状本体内を一時的に閉塞する適宜の手段を備えるようになしてもよい。このようになした場合には、筒状本体に被着するキャップ体をもって筒状本体の開口及びフレキシブルガイドホースの先端開口を封止すると共に筒状本体内でも閉塞することになり、二重の封止によって輸送中の振動や転倒による衝撃によっても内容物の流出を確実に防止することができるものである。また、筒状本体内におけるフレキシブルガイドホースより下側の位置で閉塞することにより、少なくとも最初の使用時まで該フレキシブルガイドホース内に内容物が付着しないようにすることができ、購入者に商品として不潔な感じを抱かせないようにすることができる。【０００９】  また、上記筒状本体内を一時的に閉塞する手段の一例として、筒状本体の内面における前記フレキシブルガイドホースより下側の位置に、中心部に通孔を有する板を設けると共に、該板の上面に接着剤を塗布し、フレキシブルガイドホースの一部が前記板の通孔を遮断するようにして該フレキシブルガイドホースを前記板に剥離可能に接着するようになしたことをもって構成する手段を挙げることができる。【００１０】  また、上記筒状本体内を一時的に閉塞する手段の他の例として、キャップ状をなし、外側垂直壁の内面に雌ねじを形成すると共に、上面に突出部を設けて、該突出部の外周に雄ねじを形成した栓体と、詰め替え用容器の抽出口に取着する、頂部外周に前記栓体の外側垂直壁内面の雌ねじと螺合する雄ねじを形成した筒状体とを用い、筒状本体の下部開口の内面に前記栓体の突出部外周の雄ねじ又は前記筒状体の頂部外周の雄ねじと螺合する雌ネジを形成して、該筒状本体を前記栓体を介在させて詰め替え用容器の抽出口に取着する筒状体に接続するようになしたことをもって構成する手段を挙げることができる。
【考案の効果】
【００１１】  本考案は上記の如き構成であり、フレキシブルパッケージ等の詰め替え用容器の抽出口に接着等の適宜の手段をもって取着するものである。そして、使用するときには、先ずキャップ体を外してフレキシブルガイドホースを筒状本体から引き出し、次に該フレキシブルガイドホースの先端開口を、該キャップ体を外すことによって開き、そして該フレキシブルガイドホースの先端を、内容物を詰め替える容器本体の開口内に差し込み、この状態において詰め替え用容器を逆にして立て、内容物を注ぎ込むものである。【００１２】  本考案は、このように、使用するときには螺着したキャップ体を手で捻るだけで容易に開けることができ、従来の如く抽出口を形成するために手で切除したり、鋏を用いたりする必要がない。また、鋏を用いる必要がないから、手や指を傷つける虞もない。そしてまた、フレキシブルガイドホースの先端を、内容物を詰め替える容器本体の開口内に差し込んだ状態において注入を行なうから、従来の如く詰め替え用容器の抽出口を容器本体の開口に合わせる大変な手間を省くことができると共に、こぼすことなく確実に全量を充填することができるものである。よって詰め替え作業を楽に而かもスムーズに行なうことができるものである。また、一度充填した後でフレキシブルガイドホースの先端開口を再封止することができるものであるから、内部への埃の侵入を防ぐと共に品質の劣化を防止することができるものである。加えて、一度に使い切る必要がないから、詰め替え用容器を大型化することも可能になるものである。また、フレキシブルガイドホースの先端開口には外周に雄ねじを形成した円筒体が取着してあるから、本体容器の開口にこれと螺合する雌ねじを形成すれば、フレキシブルガイドホースの先端開口と本体容器の開口との連結を図ることができ、より確実且つスムーズに詰め替え作業を行なうことができるようになるものである。【００１３】  また、フレキシブルガイドホースは、使用するときまでは筒状本体内に収納されているから、輸送時や保管時、商品陳列時等において邪魔にならず、また外面への汚れの付着も防止される。【００１４】  また、筒状本体内を一時的に閉塞する適宜の手段を備えるようになした場合には、筒状本体に被着するキャップ体をもって筒状本体の開口及びフレキシブルガイドホースの先端開口を封止すると共に筒状本体内でも閉塞することになり、二重の封止によって輸送中の振動や転倒による衝撃によっても内容物の流出を確実に防止することができるものである。また、筒状本体内におけるフレキシブルガイドホースより下側の位置で閉塞することにより、少なくとも最初の使用時まで該フレキシブルガイドホース内に内容物が付着しないようにすることができ、購入者に商品として不潔な感じを抱かせないようにすることができるものである。
【考案を実施するための最良の形態】
【００１５】  本考案を実施するための最良の形態は、詰め替え用容器の抽出口に取着する、頂部外周に雄ねじを形成した筒状本体と、前記筒状本体の内面に基部開口を接続する一方、先端開口に円筒体を取着すると共に該円筒体の外周に雄ねじを形成し、前記筒状本体内に引き出し自在に収納する、所要の長さを有するフレキシブルガイドホースと、外側垂直壁内面に前記筒状本体の頂部外周の雄ねじと螺合する雌ねじを形成すると共に、下面中心部に一体的に円筒体を垂設し、該円筒体の内面に、前記フレキシブルガイドホースの先端開口に取着した円筒体の外周の雄ねじと螺合する雌ねじを形成したキャップ体とをもって構成することにある。
【実施例１】
【００１６】  以下、本考案の実施例について説明する。
図１は本考案の第１実施例の詰め替え用容器の抽出口に取着した状態の斜視図、図２はフレキシブルガイドホースを引き出した状態の斜視図、図３はフレキシブルガイドホースを引き出した状態の一部省略して示した断面図である。【００１７】  図中、１は抽出アダプタである。尚、図中Ｐは詰め替え用容器、Ｐ′は該詰め替え用容器の抽出口である。また、該抽出アダプタ１は、詰め替え用容器Ｐの抽出口Ｐ′に取着する、頂部外周に雄ねじ２を形成した筒状本体３と、前記筒状本体３の内面に基部開口４を接続する一方、先端開口５に円筒体６を取着すると共に該円筒体６の外周に雄ねじ７を形成し、前記筒状本体３内に引き出し自在に収納する、所要の長さを有するフレキシブルガイドホース８と、外側垂直壁９ａ内面に前記筒状本体３の頂部外周の雄ねじ２と螺合する雌ねじ１０を形成すると共に、下面中心部に一体的に円筒体１１を垂設し、該円筒体１１の内面に、前記フレキシブルガイドホース８の先端開口に取着した円筒体６の外周の雄ねじ７と螺合する雌ねじ１２を形成したキャップ体９とからなるものである。【００１８】  次に、本実施例の使用方法について説明すると、使用するときには、先ずキャップ体９を捻って外し、フレキシブルガイドホース８を筒状本体３から引き出す。そしてキャップ体９を再び捻って該フレキシブルガイドホース８の先端開口５に取着した円筒体７から外す。これによりフレキシブルガイドホース８の先端開口５が開き、その後該フレキシブルガイドホース８の先端を、内容物を詰め替える容器本体（図示せず。）の開口内に差し込み、この状態において詰め替え用容器Ｐを逆にして立て、内容物を注ぎ込むものである。
【実施例２】
【００１９】  次に、図４に示した本考案の第２実施例について説明する。
尚、本実施例と前記第１実施例とは、本実施例において筒状本体内を一時的に閉塞する適宜の手段を備えた点において相違するのみであるから、同一の部材には同一の符号を付して詳細な説明は省略する。そして、本実施例において、筒状本体３内を一時的に閉塞する手段としては、筒状本体３の内面における前記フレキシブルガイドホース８より下側の位置に、中心部に通孔１３を有する板１４を設けると共に、該板１４の上面に接着剤１５を塗布し、フレキシブルガイドホース８の一部が前記板１４の通孔１５を遮断するようにして該フレキシブルガイドホース８を前記板１４に剥離可能に接着するようになしたことをもって構成する手段としたものである。【００２０】  而して、本実施例において閉塞を解除するときは、フレキシブルガイドホース８を最初に引き出したときに、その下部が引っ張られて板１４から剥がれ、通孔１３が自動的に開通することによって行なわれる。
【実施例３】
【００２１】  次に、図５に示した本考案の第３実施例について説明する。尚、本実施例と前記第１実施例とは、本実施例において筒状本体内を一時的に閉塞する適宜の手段を備えた点において相違するのみであるから、同一の部材には同一の符号を付して詳細な説明は省略する。そして、本実施例において、筒状本体３内を一時的に閉塞する手段としては、キャップ状をなし、外側垂直壁１６ａの内面に雌ねじ１７を形成すると共に、上面に突出部１８を設けて、該突出部１８の外周に雄ねじ１９を形成した栓体１６と、詰め替え用容器Ｐの抽出口Ｐ′に取着する、頂部外周に前記栓体１６の外側垂直壁１６ａ内面の雌ネジ１７と螺合する雄ねじ２０を形成した筒状体２１とを用い、筒状本体３の下部開口の内面に前記栓体１６の突出部１８外周の雄ねじ１９又は前記筒状体２１の頂部外周の雄ねじ２０と螺合する雌ネジ２２を形成して、該筒状本体３を前記栓体１６を介在させて詰め替え用容器Ｐの抽出口Ｐ′に取着する筒状体２１に接続するようになしたことをもって構成する手段としたものである。【００２２】  而して、本実施例において閉塞を解除するときは、先ず栓体１６から筒状本体３を外し、次に栓体１６を筒状体２１から外し、最後に筒状本体３を筒状体２１に螺合するものである。尚、使用する方法は前記第１実施例と同様である。
【図面の簡単な説明】
【００２３】
【図１】本考案の第１実施例の詰め替え用容器の抽出口に取着した状態の斜視図である。
【図２】フレキシブルガイドホースを引き出した状態の斜視図である。
【図３】フレキシブルガイドホースを引き出した状態の一部省略して示した断面図である。
【図４】本考案の第２実施例の要部拡大断面図である。
【図５】本考案の第３実施例の要部拡大断面図である。
【符号の説明】
【００２４】  １  抽出アダプタ
３  筒状本体
８  フレキシブルガイドホース
９  キャップ体
【図１】
0003130236.tif 000003
【図２】
0003130236.tif 000004
【図３】
0003130236.tif 000005
【図４】
0003130236.tif 000006
【図５】
0003130236.tif 000007